(57)【特許請求の範囲】
【請求項１】
取付面（７０）に取り付けるための取付部（２）を有する取付体（Ａ）と、引戸（７１）を案内するためのローラ（９）と、取付体（Ａ）に対して前記ローラ（９）の回転中心軸方向に移動自在に挿通されるとともに、前記ローラ（９）を回転中心軸回りで回転自在に軸支する軸部（８）と、前記取付部（２）に対してローラ（９）を回転中心軸方向に昇降させるための昇降手段（Ｃ）とを備えてなり、前記ローラ（９）及び軸部（８）が前記引戸（７１）の移動方向に沿って複数並設されるとともに、複数の軸部（８，８）が取付体（Ａ）の上方側又は下方側に配置された軸連結部（１０）に連結され、前記昇降手段（Ｃ）は、前記軸連結部（１０）を前記回転中心軸方向に移動させることで複数のローラ（９）を共に昇降させるように構成され、前記引戸（７１）が取り付けられた状態で、複数のローラ（９，９）を昇降可能なように設けられてなることを特徴とする引戸案内具。
【請求項２】
取付面（７０）に取り付けるための取付部（２）を有する取付体（Ａ）と、引戸（７１）を案内するためのローラ（９）を有する案内体（Ｂ）と、前記取付部（２）に対してローラ（９）を回転中心軸方向に昇降させるための昇降手段（Ｃ）とを備えた引戸案内具であって、前記取付体（Ａ）は、一対の取付部（２，２）と、各取付部（２，２）から上方に屈曲した一対の側部（３，３）と、該一対の側部（３，３）を連結し、且つ取付面（７０）に平行に形成される連結部（４）とから構成され、前記案内体（Ｂ）は、連結部（４）の上方側で前記引戸（７１）の移動方向に沿って並設された複数のローラ（９，９）と、各ローラ（９，９）を回転中心軸回りで回転自在に軸支するとともに、前記連結部（４）に挿通されて上下方向に摺動自在な複数の軸部（８，８）と、連結部（４）の上方側又は下方側で複数の軸部（８，８）を連結する軸連結部（１０）とから構成され、前記昇降手段（Ｃ）は、前記軸連結部（１０）を前記回転中心軸方向に移動させることで複数のローラ（９，９）を共に昇降させるように構成され、前記引戸（７１）が取り付けられた状態で、複数のローラ（９，９）を昇降可能なように設けられてなることを特徴とする引戸案内具。
【請求項３】
前記昇降手段（Ｃ）には、取り付けられた引戸（７１）の外面から表出し且つ外部から回転操作可能な回転操作部（１５）が設けられてなる請求項１又は２記載の引戸案内具。
【請求項４】
前記回転操作部（１５）の回転中心軸は、前記ローラ（９）の回転中心軸と離間してなる請求項３記載の引戸案内具。
【請求項５】
前記回転操作部（１５）は、取り付けられた引戸（７１）に対して出退可能に設けられてなる請求項３又は４記載の引戸案内具。
【発明の詳細な説明】
【０００１】
【発明の属する技術分野】
本発明は、ローラにより引戸を案内する引戸案内具に関し、特に、ローラの高さ調整が可能な引戸案内具に関するものである。
【０００２】
【従来の技術】
従来この種の引戸案内具は、図１６に示す如く、床等の取付面７０に取り付けるための取付片５０と、該取付片５０に固着された軸部５１と、該軸部５１に回転自在に軸支されてなるローラ５２とを備えてなるものが公知である。
該引戸案内具は、図１６に示すように、取付片５０をネジ等によって取付面７０に固定し、レール等に吊り下げられた引戸７１の内面７２，７２にローラ５２が当接して回転することにより、引戸７１が移動する際の案内として使用されるものである。
【０００３】
【発明が解決しようとする課題】
かかる引戸案内具にあっては、ローラ５２の取付片５０に対する高さが常に一定で、床に取り付けられた状態においても、取付面７０に対するローラ５２の回転位置が一定であるが、一方、取付面７０からのレールの高さは、施工時等の不具合等によってばらつきが生じることがあり、また、レールや取付面７０の経時変化等によっても、取付面７０のレールに対する高さ位置にばらつきが生じることもあり、引戸７１をレールに吊り下げた状態において、ローラ５２と引戸７１とが高さ方向に干渉する等の不都合が生じていた。
【０００４】
そこで、図１７に示すような、ローラ５２の高さ調整が可能な引戸案内具も知られている。かかる高さ調整タイプの引戸案内具は、床に打ち込まれるアンカー５３と、該アンカー５３の雌ネジ５４に螺合してなるボルト５５と、該ボルト５５の上端側に軸支されてなるローラ５２と、ローラ５２と前記アンカー５３との間でボルト５５に螺合してなるナット５６とからなるもので、床に打ち込まれたアンカー５３にボルト５５を螺入し、ナット５６をアンカー５３の上面に当接させて締め込むことにより、ボルト５５をアンカー５３に固定してローラ５２の高さを固定するものである。そして、高さ調整を行う際には、ナット５６を緩めてボルト５５を回転させて螺入量を調整することにより、ローラ５２の高さ調整を行い、高さ調整後に、再度ナット５６を締め付けて固定するものである。
【０００５】
しかしながら、該引戸案内具は、引戸７１を取り付ける前の状態においては、高さ調整を自由に行うことができるものの、引戸７１が取り付けられた状態においては、引戸７１によってナット５６やボルト５５が覆われるために、高さ調整を行うことができないものであった。従って、高さ調整をする際には、取り付けた引戸７１を一旦取り外して高さ調整を行わなければならず、極めて面倒であり、一度の高さ調整で完全に調整できない場合には、引戸７１の取付と取り外しの作業を高さ調整が完了するまで繰り返し行うことが必要となり、作業者の負担が極めて大きいものであった。
また、高さ調整を行うためには、ナット５６を緩める際に用いるスパナ等の専用工具が必要であり、かかる点においても調整作業が煩雑であった。
【０００６】
更に、ローラ５２の回転軸がボルト５５の中心と一致しているために、ローラ５２の回転がボルト５５に伝達されてナット５６が次第に緩み、ローラ５２の回転高さが経時的に変化して引戸７１の移動負荷の増大や移動停止等の問題も生じていた。また、かかるローラ５２の高さ変化が生じることで、再度高さ調整し直すことも必要となる。
【０００７】
本発明は、上記従来の問題点に鑑みてなされたもので、ローラの高さ調整を容易に行うことができる引戸案内具を提供することにより、作業者の調整作業性を向上することを課題とする。
【０００８】
【課題を解決するための手段】
本発明は、上記課題を解決すべくなされたものであり、本発明に係る引戸案内具は、取付面７０に取り付けるための取付部２を有する取付体Ａと、引戸７１を案内するためのローラ９と、取付体Ａに対して前記ローラ９の回転中心軸方向に移動自在に挿通されるとともに、前記ローラ９を回転中心軸回りで回転自在に軸支する軸部８と、前記取付部２に対してローラ９を回転中心軸方向に昇降させるための昇降手段Ｃとを備えてなり、前記ローラ９及び軸部８が前記引戸７１の移動方向に沿って複数並設されるとともに、複数の軸部８，８が取付体Ａの上方側又は下方側に配置された軸連結部１０に連結され、前記昇降手段Ｃは、前記軸連結部１０を前記回転中心軸方向に移動させることで複数のローラ９を共に昇降させるように構成され、前記引戸７１が取り付けられた状態で、複数のローラ９，９を昇降可能なように設けられてなることを特徴とする。
【０００９】
また、本発明に係る引戸案内具は、取付面７０に取り付けるための取付部２を有する取付体Ａと、引戸７１を案内するためのローラ９を有する案内体Ｂと、前記取付部２に対してローラ９を回転中心軸方向に昇降させるための昇降手段Ｃとを備えた引戸案内具であって、前記取付体Ａは、一対の取付部２，２と、各取付部２，２から上方に屈曲した一対の側部３，３と、該一対の側部３，３を連結し、且つ取付面７０に平行に形成される連結部４とから構成され、前記案内体Ｂは、連結部４の上方側で前記引戸７１の移動方向に沿って並設された複数のローラ９，９と、各ローラ９，９を回転中心軸回りで回転自在に軸支するとともに、前記連結部４に挿通されて上下方向に摺動自在な複数の軸部８，８と、連結部４の上方側又は下方側で複数の軸部８，８を連結する軸連結部１０とから構成され、前記昇降手段Ｃは、前記軸連結部１０を前記回転中心軸方向に移動させることで複数のローラ９，９を共に昇降させるように構成され、前記引戸７１が取り付けられた状態で、複数のローラ９，９を昇降可能なように設けられてなることを特徴とする。
【００１０】
本発明に係る引戸案内具にあっては、昇降手段Ｃを操作することによりローラ９を取付部２に対して昇降させて高さ調整することができるうえに、取付面７０に取付体Ａを取り付けて、引戸７１を取り付けた状態においても、昇降手段Ｃを操作してローラ９の高さ調整を行うことができる。従って、従来のように、ローラ９の高さ調整を行う度に引戸７１を取り外す必要なく、ローラ９の高さ調整を行うことができるのである。特に、ローラ９を引戸７１の移動方向に沿って複数並設することにより、引戸７１を移動させる際において、引戸７１をより一層平行に移動させることができ、昇降手段Ｃによって共に昇降可能にすることにより、短時間でローラ９を調整できるのである。
【００１１】
特に、請求項３記載の如く、取り付けられた引戸７１の外面から表出し且つ外部から回転操作可能な回転操作部１５を昇降手段Ｃに設けることにより、別途高さ調整用の部品を準備することなく、取り付けられた引戸７１の外面から表出した回転操作部１５を回転操作することでローラ９を昇降させて高さ調整を行うことができる。
【００１２】
また、請求項４記載の如く、回転操作部１５の回転中心軸を、ローラ９の回転中心軸と離間して設けることにより、ローラ９の回転と回転操作部１５の回転とが分離され、引戸７１の移動によるローラ９の回転が回転操作部１５に伝達して回転操作部１５が回転することが防止される。
【００１３】
更に、請求項５記載の如く、回転操作部１５を取り付けられた引戸７１に対して出退可能に設けることにより、高さ調整を行う際には、引戸７１から回転操作部１５を突出させて突出量を大きくした状態で高さ調整を行うことができ、高さ調整完了後は、引戸７１の内側に向かって回転操作部１５の突出量を減少させることができる。
【００１４】
【発明の実施の形態】
以下、本発明の実施形態について図面を参酌しつつ説明する。
＜第一実施形態＞
図１乃至図６は、第一実施形態における引戸案内具を示し、該引戸案内具は、取付面７０に取り付けるための取付部２を有する取付体Ａと、引戸７１を案内するためのローラ９を有する案内体Ｂと、前記取付部２に対してローラ９を回転中心軸方向に昇降させるための昇降手段Ｃとを備えてなり、以下詳細に説明する。
【００１５】
前記取付体Ａは、図１及び図２に示す如く、一枚の金属板を断面視略凸状に屈曲して形成されてなり、取付孔１を有する左右一対の取付部２，２と、該取付部２から上方に屈曲した側部３と、左右の側部３，３を連結し且つ前記取付面７０に平行に形成された連結部４とから構成されてなる。尚、前記取付孔１は、図２に示す如く、左右方向と直交する方向に長い長孔状に穿設されてなる。
【００１６】
そして、前記連結部４には、中央に上方貫通孔５が穿設され、該上方貫通孔５を中心として左右対称な位置に、一対の摺動孔６，６が穿設されてなり、該摺動孔６には、上下にフランジを有する軸受７が各々挿着されてなり、フランジによって抜け止めとなっている。
【００１７】
かかる連結部４に前記案内体Ｂがスライド自在に設けられてなる。即ち、案内体Ｂは、前記連結部４の軸受７に挿入されて上下に摺動自在な一対の軸部８，８と、該軸部８の上端側に回転自在に軸支され連結部４の上方に位置するローラ９と、一対の軸部８，８を下端側にて連結する軸連結部１０とから構成されてなり、該案内体Ｂは、左右一対の軸部８，８が軸受７，７と摺動することにより、連結部４にスライド自在に設けられてなり、軸受７によって摺動負荷を低減させるようにしている。
【００１８】
このように、ローラ９は、左右に一対並設されてなり、図２に示す如く、取り付けられた引戸７１が移動する際に、引戸７１の内面７２，７２と当接して回転可能に形成されてなる。
【００１９】
尚、前記軸部８の下端は、軸連結部１０にカシメによって固着されてなり、前記ローラ９の上下には、ローラ９の抜け防止のために、止め輪１１がそれぞれ軸部８に装着されてなる。また、前記軸連結部１０の中央には、雌ネジを有する下方ネジ孔１２が設けられてなり、該下方ネジ孔１２は、前記連結部４の上方貫通孔５と対向する位置に設けられてなる。
【００２０】
該構成からなる案内体Ｂは、前記昇降手段Ｃによって上下方向に昇降自在に設けられてなる。即ち、昇降手段Ｃは、雄ネジ１３を有する調整軸１４と、該調整軸１４の下端側に固着され且つ前記軸連結部１０の下方側に位置するダイヤル１５とから構成されてなり、調整軸１４は、前記軸連結部１０の下方ネジ孔１２に下方側から螺入され且つ上端側が前記連結部４の上方貫通孔５に挿入されて、連結部４と軸連結部１０を連結してなり、該調整軸１４は、前記連結部４の上下に設けられた止め輪１１，１１によって抜け止めされてなる。また、該ダイヤル１５は、すべりを防止するために、外周面に凹凸が全周にわたって形成されてなる。
【００２１】
このように、昇降手段Ｃは、雄ネジ１３を有する調整軸１４に回転操作部としてのダイヤル１５が固着されてなり、該ダイヤル１５を回転させることにより、調整軸１４の上端側が連結部４の上方貫通孔５と摺動することによりダイヤル１５の回転位置を維持した状態で回転可能に設けられてなる。
【００２２】
従って、図３のように、ダイヤル１５の回転により、調整軸１４の雄ネジ１３に螺合した軸連結部１０が昇降して一対のローラ９，９の取付部２に対する高さが調整できるようになっており、昇降時には、調整軸１４と離間した左右一対の軸部８，８が軸受７，７に摺動可能に設けられて軸連結部１０の回転を防止している。
【００２３】
また、前記ダイヤル１５は、図２に示す如く、取り付けられた引戸７１の前後面７３，７３の間の距離と略同一径に形成され、且つ、ダイヤル１５の下面１５ａが前記取付部２の下面２ａと略面一に設けられてなり、取り付けられた引戸７１の下端面と取付面７０との間から表出するように設けられてなる。即ち、ダイヤル１５は、取り付けられた引戸７１の外面から表出し且つ外部から回転操作可能なように形成されて回転操作部として構成されてなる。
【００２４】
次に、以上のように構成された引戸案内具の使用状態について説明する。
まず、図４乃至図６に示す如く、床等の取付面７０に、引戸７１の移動方向に沿って所定間隔離間してアンカー等の固定具８０を打ち込み、この打ち込まれた固定具８０の位置に対応して取付孔１にネジ８１を挿入し、長孔状に形成された取付孔１により引戸７１の移動方向と垂直方向の位置を決めて取り付ける。
【００２５】
そして、引戸案内具を取り付けた後、ダイヤル１５を回転させて取付面７０に対するローラ９，９の概略の高さ調整を行って、上面に滑車８３が左右一対設けられた引戸７１を、上方のレール８２に滑車８３を係合させて懸架させると共に、引戸案内具のローラ９に下端部の内面７２，７２を当接させるようにして引戸７１をスライドさせながら取り付ける。
【００２６】
このように、引戸７１が取り付けられた状態では、引戸７１と床の取付面７０との間に僅かな隙間が生じており、該隙間から回転操作部としてのダイヤル１５が表出し、しかも、平面的には、図２に示したように、引戸７１の前後面７３，７３とダイヤル１５の外周とが略同一になって、外部からダイヤル１５を回転操作可能になる。従って、引戸７１とローラ９とが干渉しているような場合には、外部からダイヤル１５を回転操作してローラ９の高さ調整を行い、引戸７１を円滑な移動可能状態とすることができる。
【００２７】
そして、ローラ９の高さ調整を終了して引戸７１が移動可能状態となって引戸７１の取付作業が完了し、引戸７１を移動させると、引戸７１の上方に設けられた滑車８３がレール８２上を走行すると共に、引戸７１の下方側は、引戸案内具のローラ９が引戸７１の内面７２，７２に当接しながら回転して案内し、移動負荷の少ない状態で平行に移動していく。
【００２８】
以上のように使用される引戸案内具の第一実施形態においては、以下の利点を有する。
まず、引戸案内具の取付において、引戸案内具にローラ９が一対設けられ且つ昇降手段Ｃによって共に昇降可能であるので短時間で調整できる。尚、昇降手段Ｃを有しているので引戸７１を取り付ける前においてもローラ９の高さ調整を行うことができ、また取付孔１が長孔状に形成されているので位置調整も容易に行うこともできる。
【００２９】
次に、引戸７１を取り付けた状態でも昇降手段Ｃがローラ９を昇降可能なように設けられているので、従来のように高さ調整ごとに引戸７１を取り外すという作業が不要で高さ調整が極めて簡単となり、作業者の負担が大幅に軽減でき、引戸７１の取付作業を従来から大きく改善できるのである。
特に、回転操作部としてのダイヤル１５が取り付けられた引戸７１から表出しているので、高さ調整を行う際に別途高さ調整用の部品を準備する必要がなくなり、外部から手でダイヤル１５を容易に回転させてローラ９の高さ調整を行うことができる。また、ダイヤル１５の外周面に凹凸を有してなるので、回転が容易且つ微調整も容易にできるのである。
【００３０】
更に、引戸７１を移動させる際には、引戸案内具にローラ９が一対設けられ且つ引戸７１の移動方向に沿って並設されてなるので、ローラ９が単一のものに比して引戸７１をより一層平行状態を維持して移動することができる。
【００３１】
また、ダイヤル１５の外周面が引戸７１の外面と略同一になるよう形成されてなるので、高さ調整完了後に引戸７１を使用する際にもダイヤル１５が障害となることがない。
【００３２】
そして、ダイヤル１５の回転中心軸（調整軸１４の中心）がローラ９の回転中心軸（軸部８の中心）と離間しているので、ローラ９の回転とダイヤル１５の回転とが分離され、引戸７１の移動によっても、ローラ９の回転のダイヤル１５への伝達が防止されて、ローラ９の高さ変化が確実に抑制できるのである。
【００３３】
尚、取付体Ａを取付面７０に取り付けた際に、ダイヤル１５の下面１５ａが取付面７０に当接して取付面７０から上方に押圧されるようにダイヤル１５の位置を設定することも好ましく、これにより、振動等が生じても不用意にダイヤル１５が回転することもより一層防止される。
【００３４】
＜参考例＞
次に、本発明の参考例について説明するが、上記第一実施形態と同様の構成についてはその説明を省略する。
図７及び図８は、参考例における引戸案内具を示しており、取付体においては、平面状の取付部２に左右一対の長孔状の取付孔１，１を有してなり、該取付部２には案内体Ｂを上下にスライドさせるためのピン２０が圧入されてなり、且つ一方にのみ側部３が形成されて、該側部３には、屈曲の基端側に切欠部２１が設けられ、上方の先端側には案内体Ｂを上下にスライドさせるための摺動長孔２２が穿設されてなる。
【００３５】
かかる取付体Ａには、第一実施形態と同様に案内体Ｂがスライド自在に設けられてなる。即ち、案内体Ｂの軸連結部１０は略Ｌ字状に形成され、上方に屈曲した連結側部２３には、外側に向かって摺動ピン２５が固着されて突出してなり、該摺動ピン２５が前記摺動長孔２２に挿入されてなる。また、平面部２４には、一対のローラ９，９を有する軸部８，８が固着され、該一対の軸部８，８間の中央には、前記ピン２０が摺動自在に挿入されてなり、しかも、軸部８と前記連結側部２３との間には、第一実施形態と同様の調整軸１４が螺入されてなり、該調整軸１４の下端側のダイヤル１５の一部は、前記切欠部２１に挿入されて側部３の外面から外周部が露出してなる。
【００３６】
かかる構成からなる引戸案内具においても、上記第一実施形態と同様にダイヤル１５を回転操作することにより、案内体Ｂを昇降させて一対のローラ９，９を上下に移動させて高さ調整を行うことができ、引戸７１を取り付けた状態では、引戸７１の移動方向の側縁部から表出するダイヤル１５を回転させることにより、引戸７１を取り付けた状態においても調整することができる。
特に、図９に示す如く（図中のＱに引戸案内具が設けられている）、引戸７１の戸袋が引戸７１の前後面７３，７３を覆うような両面戸袋７４が設けられていて、引戸案内具が該両面戸袋７４内に収まるような場合であっても、両面戸袋７４の開口部７４ａからダイヤル１５を回転操作して高さ調整を行うことができる利点がある。
【００３７】
尚、本参考例においても、ダイヤル１５が切欠部２１の内面に押圧するように設けることにより、より一層ダイヤル１５の不用意な回転を抑制させることも可能である。
【００３８】
＜第二実施形態＞
次に、本発明の第二実施形態について図１０及び図１１を参照して説明する。
第二実施形態における引戸案内具は、取付体Ａは上記第一実施形態と略同様のものであり、連結部４の中央から下方側にガイド板３０が延設されてなり、該ガイド板３０には、上下方向に長い長孔状の摺動長孔３１が設けられてなる。また、両側部３，３の取付部２，２側には、左右対向した位置に丸孔３２，３２が穿設されてなる。
【００３９】
更に、昇降手段Ｃは、前記両丸孔３２，３２を貫通して回転自在に挿着され且つ外周にネジ部３３を有する調整パイプ３４と、該調整パイプ３４に軸方向にスライド自在且つ回転自在に設けられた引出棒３５と、前記調整パイプ３４のネジ部３３に螺合装着されてなるスライドブロック３６と、該スライドブロック３６の軸方向の中央に基端側が回動自在に軸支され且つ先端側が前記摺動長孔３１に上下に摺動自在に軸支されてなるリンクアーム３７とから構成されてなる。
【００４０】
また、前記調整パイプ３４の一方の先端は、取付体Ａの側部３から外側に突出し、且つ、前記引出棒３５の先端部に軸方向と直交して挿着されてなるガイドピン３８が係合可能な係合切欠３９が設けられてなる。また、引出棒３５の他方の先端には、外周に凹凸を有するダイヤル１５が外嵌挿着されてなる。
【００４１】
しかも、前記リンクアーム３７の摺動長孔３１に軸支された側の先端は、一対のローラ９，９を有する案内体Ｂの軸連結部１０の下面１０ａに当接し、該軸連結部１０を上下方向に押圧して昇降させるように設けられてなる。
【００４２】
このように構成されてなる引戸案内具は、以下のようにしてローラ９の高さ調整を行うものである。即ち、ダイヤル１５を引き出すと共にガイドピン３８を係合切欠３９に係合させると、引出棒３５と調整パイプ３４とが連結して一体となって回転可能な状態となり、ダイヤル１５を回転させると調整パイプ３４が回転し、螺合しているスライドブロック３６が左右方向に移動する。
【００４３】
該スライドブロック３６の移動によって、リンクアーム３７がスライドブロック３６側を支点として回動し、摺動長孔３１を上下に摺動して軸連結部１０の下面１０ａを上下方向に押圧する。従って、ダイヤル１５を回転させることにより、リンクアーム３７が軸連結部１０を押圧してローラ９を上下に昇降させて、ローラ９の回転高さを変化させることができる。そして、ローラ９の高さ調整が完了すると、ダイヤル１５を取付体Ａの側部３に向かって押圧して引出棒３５を収容する。
【００４４】
このように、本実施形態においても、上記参考例と同様に、ダイヤル１５が取り付けられた引戸７１に対して出退可能に設けられてなるので、引戸７１が取り付けられた状態においても、ダイヤル１５を引き出して回転操作することによってローラ９の高さ調整を行うことができると共に、調整後は引戸７１の内側に向かってダイヤル１５の突出量を減少させることができる。
【００４５】
更に、本実施形態においては、ダイヤル１５の回転中心軸と、ローラ９の回転中心軸とが直交するので、ローラ９の回転がより一層分離できて調整位置をより確実に維持できる利点がある。
【００４６】
尚、引出棒３５に弾性体を設けるなどして、引き出した状態から収納させる際に自動的に収納するように設けてもよく、これにより、より一層調整作業が容易にできる。
【００４７】
＜他の実施形態＞
上記第一実施形態においては、軸連結部１０を取付体Ａの連結部４の下方側に設けていたが、図１２及び図１３に示す如く、連結部４の上方側に設けてもよく、また、図１４及び図１５に示すように、楕円形状のダイヤル４０を用いてもよい。即ち、該ダイヤル４０の長軸方向が引戸７１の前後面７３，７３から突出し、短軸方向が前後面７３，７３間の距離よりも短くなるように設けてもよい。これにより、引戸７１の前後面から突出する長軸方向の外周部を利用して容易に回転させることができるうえに、調整後において図１４のように、引戸７１内部に収納することもできる。このようにして回転操作部１５を引戸７１の外面（本実施形態においては前後面７３，７３）から出退可能に設けてもよい。
【００４８】
尚、ローラ９の並設数や、取付体Ａ、案内体Ｂ及び昇降手段Ｃは、上記実施形態に限定するものではなく、適宜設計変更可能である。また、ダイヤル１５，４０を設けずに別途ピン等を調整軸１４に挿入してピンを回動させて昇降させてもよく、引戸７１が取り付けられた状態でローラ９を回転中心軸方向に昇降可能であれば本発明の意図する範囲内である。
【００４９】
【発明の効果】
以上のように、本発明に係る引戸案内具にあっては、引戸が取り付けられた状態でローラを昇降可能な昇降手段を設けることにより、引戸を取り付ける前の状態のみならず、引戸を取り付けた状態においてもローラの高さ調整を行うことができる。従って、従来のようにローラの高さ調整を行う度に引戸を取り外す必要なく、ローラの高さ調整が極めて容易になり、しかも、作業者の引戸の繰り返し取付作業の負担を低減させることもできる。特に、ローラを引戸の移動方向に沿って複数並設することにより、引戸の移動時の平行性がより一層確実なものになり、更に、昇降手段によって共に昇降することにより、調整を短時間化でき、より一層調整が容易になる。
【００５０】
特に、請求項３記載の如く、取り付けられた引戸の外面から表出し且つ外部から回転操作可能な回転操作部を設けることにより、別途高さ調整用の部品を準備する必要がなくなり、より一層ローラの高さ調整が容易になる効果がある。
【００５１】
また、請求項４記載の如く、回転操作部の回転中心軸を、ローラの回転中心軸と離間して設けることにより、ローラの回転による回転操作部の回転が防止でき、繰り返し引戸を移動させてもローラの回転高さを確実に維持できるのである。
【００５２】
更に、請求項５記載の如く、回転操作部を取り付けられた引戸に対して出退可能に設けることにより、ローラの高さ調整時と非調整時で引戸からの回転操作部の突出量を調整することができ、調整時の調整の容易性と非調整時の収納性との両立が可能になる効果がある。
【図面の簡単な説明】
【図１】  本発明の第一実施形態における引戸案内具を示す一部断面を含む正面図。
【図２】  第一実施形態の引戸案内具を示す平面図。
【図３】  第一実施形態の引戸案内具の使用状態を示す一部断面を含む正面図。
【図４】  第一実施形態の引戸案内具の使用状態を示す一部断面を含む正面図。
【図５】  第一実施形態の引戸案内具の使用状態を示す側面図。
【図６】   図４のＰ部拡大図。
【図７】  参考例の引戸案内具を示す一部断面を含む正面図。
【図８】  参考例の引戸案内具の使用状態を示す一部断面を含む正面図。
【図９】  参考例の引戸案内具の使用状態を示す平面図。
【図１０】  第二実施形態の引戸案内具を示す一部断面を含む正面図。
【図１１】  第二実施形態の引戸案内具の使用状態を示す一部断面を含む正面図。
【図１２】  他の実施形態の引戸案内具を示す一部断面を含む正面図。
【図１３】  他の実施形態の引戸案内具の使用状態を示す一部断面を含む正面図。
【図１４】  他の実施形態の引戸案内具を示す平面図。
【図１５】  他の実施形態の引戸案内具の使用状態を示す平面図。
【図１６】  従来の引戸案内具を示す側面図。
【図１７】  従来の引戸案内具の使用状態を示す一部断面を含む側面図。
【符号の説明】
Ａ…取付体、Ｂ…案内体、Ｃ…昇降手段、２…取付部、９…ローラ、１５…ダイヤル（回転操作部）、４０…ダイヤル（回転操作部）７０…取付面、７１…引戸
【図１】
0004132166.tif 000002
【図２】
0004132166.tif 000003
【図３】
0004132166.tif 000004
【図４】
0004132166.tif 000005
【図５】
0004132166.tif 000006
【図６】
0004132166.tif 000007
【図７】
0004132166.tif 000008
【図８】
0004132166.tif 000009
【図９】
0004132166.tif 000010
【図１０】
0004132166.tif 000011
【図１１】
0004132166.tif 000012
【図１２】
0004132166.tif 000013
【図１３】
0004132166.tif 000014
【図１４】
0004132166.tif 000015
【図１５】
0004132166.tif 000016
【図１６】
0004132166.tif 000017
【図１７】
0004132166.tif 000018